(57)【要約】【課題】ノイズの発生を抑制しつつ、小型化することが可能な光ヘッド装置を提供すること。【解決手段】光記録媒体に記録された情報の再生や光記録媒体への情報の記録を行う光ヘッド装置は、導電性材料で形成されるフレーム８を備えている。フレーム８は、平面状および／または曲面状に形成される複数の表面部８ｅ〜８ｖを備えている。表面部８ｅ〜８ｖのうち、互いに平行でなくかつ交わるように形成された２個の表面部には、この２個の表面部に跨るように絶縁層を介して電気回路２０が一体で形成されている。【選択図】図２
2010044809.tif 000002
【特許請求の範囲】
【請求項１】
導電性材料で形成されるフレーム上に電気回路が形成された電気回路付きフレームであって、
前記フレームは、平面状および／または曲面状に形成される少なくとも２個の表面部を備え、
前記２個の表面部は、互いに平行でなく、かつ、互いに交わるように形成され、
前記２個の表面部には、前記２個の表面部に跨るように絶縁層を介して前記電気回路が一体で形成されていることを特徴とする電気回路付きフレーム。
【請求項２】
光記録媒体に記録された情報の再生および／または前記光記録媒体への情報の記録を行う光ヘッド装置において、
導電性材料で形成されるフレームを備え、
前記フレームは、平面状および／または曲面状に形成される少なくとも２個の表面部を備え、
前記２個の表面部は、互いに平行でなく、かつ、互いに交わるように形成され、
前記２個の表面部には、前記２個の表面部に跨るように絶縁層を介して電気回路が一体で形成されていることを特徴とする光ヘッド装置。
【請求項３】
前記２個の表面部は、互いに略直交するように形成されていることを特徴とする請求項２記載の光ヘッド装置。
【請求項４】
光記録媒体に記録された情報の再生および／または前記光記録媒体への情報の記録を行う光ヘッド装置において、
導電性材料で形成されるフレームを備え、
前記フレームには、電子部品が固定される固定面が前記光記録媒体に略平行な方向に交わるように形成され、
前記固定面には、絶縁層を介して電気回路が一体で形成され、
前記電気回路に前記電子部品の端子が接続されていることを特徴とする光ヘッド装置。
【請求項５】
前記固定面は、前記光記録媒体に略平行な方向に直交するように形成されていることを特徴とする請求項４記載の光ヘッド装置。
【請求項６】
前記電気回路は、絶縁層を介して積層される少なくとも２層の電気回路層を備えることを特徴とする請求項２から５いずれかに記載の光ヘッド装置。
【請求項７】
請求項２から６いずれかに記載の光ヘッド装置の製造方法において、
前記表面部に前記絶縁層を形成する絶縁層形成工程と、前記絶縁層の上に前記電気回路を形成する電気回路形成工程とを備えることを特徴とする光ヘッド装置の製造方法。
【請求項８】
前記電気回路形成工程は、前記絶縁層の表面上に導電性材料からなる導電層を積層する導電層積層工程と、前記導電層の一部をエッチングで除去して前記電気回路を形成するエッチング工程とを備えることを特徴とする請求項７記載の光ヘッド装置の製造方法。
【発明の詳細な説明】
【技術分野】
【０００１】
本発明は、電気回路付きフレーム、光ヘッド装置および光ヘッド装置の製造方法に関する。
【背景技術】
【０００２】
従来から、光ヘッド装置では、フレームに固定される信号検出用受光素子やモニタ用受光素子等の電子部品の端子に接続されるフレキシブルプリント基板（ＦＰＣ（Ｆｌｅｘｉｂｌｅ  Ｐｒｉｎｔｅｄ  Ｃｉｒｃｕｉｔ））が使用されている（たとえば、特許文献１参照）。また、ＦＰＣとして、電気回路となる銅箔と、銅箔に積層される絶縁性樹脂層と、絶縁性樹脂層に積層されるノイズ抑制層とを備えるＦＰＣが知られている（たとえば、特許文献２参照）。
【０００３】
【特許文献１】特開２００８−１４６７５８号公報
【特許文献２】特開２００８−４１９４７号公報
【発明の開示】
【発明が解決しようとする課題】
【０００４】
特許文献２に記載のＦＰＣは、ノイズ抑制効果を有するため、このＦＰＣを特許文献１に記載のＦＰＣに代えて使用すれば、光ヘッド装置において、ノイズの発生を抑制することが可能になる。しかしながら、光ヘッド装置等の各種の装置では、一般に、電子部品に接続されるＦＰＣは折り曲げられて引き回されることが多いにもかかわらず、特許文献２に記載のＦＰＣにはノイズ抑制層が形成され、その厚さが厚くなるため、特許文献２に記載のＦＰＣを光ヘッド装置等に用いた場合、ＦＰＣの折り曲げ半径を小さくすると、ＦＰＣに亀裂や剥離等が発生するおそれがある。したがって、特許文献２に記載のＦＰＣを各種の装置に用いた場合、その折り曲げ半径を小さくすることは困難である。そのため、特許文献２に記載のＦＰＣを使用する各種の装置では、ＦＰＣの折り曲げ半径が大きくなり、装置の小型化を図ることが困難である。
【０００５】
そこで、本発明の課題は、ノイズの発生を抑制しつつ、各種の装置を小型化することが可能な電気回路付きフレームを提供することにある。また、本発明の課題は、ノイズの発生を抑制しつつ、小型化することが可能な光ヘッド装置およびこの光ヘッド装置の製造方法を提供することにある。
【課題を解決するための手段】
【０００６】
上記の課題を解決するため、本発明の電気回路付きフレームは、導電性材料で形成されるフレーム上に電気回路が形成された電気回路付きフレームであって、フレームは、平面状および／または曲面状に形成される少なくとも２個の表面部を備え、２個の表面部は、互いに平行でなく、かつ、互いに交わるように形成され、２個の表面部には、２個の表面部に跨るように絶縁層を介して電気回路が一体で形成されていることを特徴とする。
【０００７】
本発明の電気回路付きフレームでは、導電性材料で形成されるフレームの表面部に絶縁層を介して、電気回路が形成されている。そのため、フレーム自体にノイズ抑制効果を持たせることができ、ノイズの発生を抑制することができる。また、本発明では、互いに交わる平行でない２個の表面部に跨るように、電気回路が一体で形成されている。そのため、ＦＰＣを用いずに、２個の表面部に沿って電気回路を配置することができ、表面部の境界部分でＦＰＣの折り曲げ半径が大きくなるといった上述の問題は生じない。したがって、本発明では、電気回路付きフレームが使用される各種の装置を小型化することが可能になる。
【０００８】
また、上記の課題を解決するため、本発明は、光記録媒体に記録された情報の再生および／または光記録媒体への情報の記録を行う光ヘッド装置において、導電性材料で形成されるフレームを備え、フレームは、平面状および／または曲面状に形成される少なくとも２個の表面部を備え、２個の表面部は、互いに平行でなく、かつ、互いに交わるように形成され、２個の表面部には、２個の表面部に跨るように絶縁層を介して電気回路が一体で形成されていることを特徴とする。
【０００９】
本発明の光ヘッド装置では、導電性材料で形成されるフレームの表面部に絶縁層を介して、電気回路が形成されている。そのため、フレーム自体にノイズ抑制効果を持たせることができ、ノイズの発生を抑制することができる。また、本発明では、互いに交わる平行でない２個の表面部に跨るように、電気回路が一体で形成されている。そのため、ＦＰＣを用いずに、２個の表面部に沿って電気回路を配置することができ、表面部の境界部分でＦＰＣの折り曲げ半径が大きくなるといった上述の問題は生じない。したがって、本発明では、光ヘッド装置を小型化することが可能になる。
【００１０】
本発明において、２個の表面部は、たとえば、互いに略直交するように形成されている。互いに略直交するように形成される２個の表面部に沿って、特許文献２に記載のＦＰＣが配置されると、表面部の境界部分で、ＦＰＣの折り曲げ半径が大きくなりやすくなり、光ヘッド装置が大型化しやすくなるが、本発明では、互いに略直交するように形成される２個の表面部に沿って電気回路が形成されても、光ヘッド装置を小型化することができる。
【００１１】
さらに、上記の課題を解決するため、光記録媒体に記録された情報の再生および／または光記録媒体への情報の記録を行う光ヘッド装置において、導電性材料で形成されるフレームを備え、フレームには、電子部品が固定される固定面が光記録媒体に略平行な方向に交わるように形成され、固定面には、絶縁層を介して電気回路が一体で形成され、電気回路に電子部品の端子が接続されていることを特徴とする。
【００１２】
本発明の光ヘッド装置では、導電性材料で形成されるフレームの固定面に絶縁層を介して、電気回路が形成されている。そのため、フレーム自体にノイズ抑制効果を持たせることができ、ノイズの発生を抑制することができる。また、本発明では、電子部品が固定される固定面が光記録媒体に略平行な方向に交わるように形成され、この固定面に形成された電気回路に電子部品の端子が接続されている。そのため、電子部品が固定される固定面に沿って厚いＦＰＣを配置する必要がなくなる。したがって、本発明では、固定面の端部でＦＰＣの折り曲げ半径が大きくなるといった上述の問題は生じない。したがって、本発明では、光ヘッド装置を小型化することが可能になる。
【００１３】
本発明において、固定面は、たとえば、光記録媒体に略平行な方向に直交するように形成されている。光記録媒体に略平行な方向に直交するように形成される固定面に沿って、特許文献２に記載のＦＰＣが配置されると、固定面の端部で、ＦＰＣの折り曲げ半径が大きくなりやすくなり、光ヘッド装置が大型化しやすくなるが、本発明では、光記録媒体に略平行な方向に直交するように形成される固定面に沿って電気回路が形成されても、光ヘッド装置を小型化することができる。
【００１４】
本発明において、電気回路は、絶縁層を介して積層される少なくとも２層の電気回路層を備えることが好ましい。このように構成すると、電気回路の多機能化を図ることができる。また、電気回路の配置面積を低減することができる。
【００１５】
本発明の光ヘッド装置は、表面部に絶縁層を形成する絶縁層形成工程と、絶縁層の上に電気回路を形成する電気回路形成工程とを備える光ヘッド装置の製造方法で製造することができる。また、電気回路形成工程は、たとえば、絶縁層の表面上に導電性材料からなる導電層を積層する導電層積層工程と、導電層の一部をエッチングで除去して電気回路を形成するエッチング工程とを備えている。本発明の光ヘッド装置の製造方法で製造された光ヘッド装置では、ノイズの発生を抑制しつつ、装置を小型化することが可能になる。
【発明の効果】
【００１６】
以上のように、本発明の電気回路付きフレームでは、ノイズの発生を抑制しつつ、各種の装置を小型化することが可能になる。また、本発明の光ヘッド装置では、ノイズの発生を抑制しつつ、光ヘッド装置を小型化することが可能になる。さらに、本発明の光ヘッド装置の製造方法で製造された光ヘッド装置では、ノイズの発生を抑制しつつ、光ヘッド装置を小型化することが可能になる。
【発明を実施するための最良の形態】
【００１７】
以下、本発明の実施の形態を図面に基づいて説明する。
【００１８】
（光ヘッド装置の概略構成）
図１は、本発明の実施の形態にかかる光ヘッド装置１の、光学系６を中心とした概略構成図である。図２は、本発明の実施の形態にかかる光ヘッド装置１の一部の部品を取り除いた状態を示す斜視図である。
【００１９】
本形態の光ヘッド装置１は、ＣＤやＤＶＤ等の光記録媒体２に記録された情報の再生や、光記録媒体２への情報の記録を行う装置である。この光ヘッド装置１は、光記録媒体２に向かって、６５０ｎｍ帯の波長のレーザ光を射出する第１レーザ光源３と、７８０ｎｍ帯の波長のレーザ光を射出する第２レーザ光源４と、光記録媒体２で反射された反射光を受光する信号検出用受光素子５と、第１レーザ光源３または第２レーザ光源４から射出された射出光を光記録媒体２に集束させるとともに、光記録媒体２で反射された反射光を信号検出用受光素子５に導く光学系６とを備えている。また、光ヘッド装置１は、第１レーザ光源３または第２レーザ光源４から射出された射出光の一部を受光するモニタ用受光素子７と、レーザ光源３、４、受光素子５、７および光学系６が固定されるフレーム８とを備えている。
【００２０】
光学系６は、各種の光学素子を備えている。具体的には、光学系６は、回折素子１０、１１と、偏光プリズム１２と、ハーフミラー１３と、１／４波長板１４と、コリメータレンズ１５と、立ち上げミラー（全反射ミラー）１６と、対物レンズ１７と、リレーレンズ１８とを備えている。
【００２１】
第１レーザ光源３から射出された光は、回折素子１０および偏光プリズム１２の部分反射面１２ａを透過して、ハーフミラー１３に入射する。また、第２レーザ光源４から射出された光は、回折素子１１およびリレーレンズ１８を透過した後、偏光プリズム１２の部分反射面１２ａで反射されて、ハーフミラー１３に入射する。
【００２２】
また、第１レーザ光源３または第２レーザ光源４から射出された光の一部は、ハーフミラー１３で反射される。ハーフミラー１３で反射された光は、１／４波長板１４およびコリメータレンズ１５を透過し、立ち上げミラー１６で反射された後、対物レンズ１７を透過して、光記録媒体２に照射される。光記録媒体２で反射された光は、対物レンズ１７、立ち上げミラー１６、コリメータレンズ１５および１／４波長板１４を経由した後、ハーフミラー１３を透過して、信号検出用受光素子５に入射する。また、第１レーザ光源３または第２レーザ光源４から射出された光の一部は、ハーフミラー１３を透過して、モニタ用受光素子７に入射する。
【００２３】
フレーム８は、導電性材料で形成されている。たとえば、フレーム８は、亜鉛合金、アルミ合金あるいはマグネシウム合金等の金属あるいは導電性を有する樹脂で形成されている。また、フレーム８は、ダイカスト等の成型あるいは切削によって形成されている。このフレーム８は、底面部とこの底面部から起立する複数の壁部を有する立体状に形成されている。フレーム８には、光ヘッド装置１を所定方向へ送るための送りねじ（図示省略）が係合するネジ係合部８ａと、光ヘッド装置１を所定方向へ案内するガイド軸（図示省略）が係合する軸係合部８ｂとが形成されている。
【００２４】
本形態のフレーム８には、電気回路２０が一体で形成されている。すなわち、本形態のフレーム８は、電気回路付きフレームである。電気回路２０の一端には、ＦＰＣ（図示省略）が接続されている。また、電気回路２０の他端には、レーザ光源３、４の出力を調整するためのボリューム２１が接続されている（図２参照）。以下、フレーム８および電気回路２０の詳細な構成について説明する。
【００２５】
（フレームおよび電気回路の構成）
図３は、図２に示すフレーム８の、電気回路２０の形成部分の断面図である。図４は、図２のＥ部の詳細図であり、（Ａ）は側面図、（Ｂ）は（Ａ）のＦ−Ｆ断面の断面図である。
【００２６】
以下の説明では、図２のＸ１方向側を「右」側、Ｘ２方向側を「左」側、Ｙ１方向側を「手前（前）」側、Ｙ２方向側を「奥（後ろ）」側、Ｚ１方向側を「上」側、Ｚ２方向側を「下」側とする。また、Ｘ方向とＹ方向とから構成される平面をＸＹ平面、Ｙ方向とＺ方向とから構成される平面をＹＺ平面、Ｚ方向とＸ方向とから構成される平面をＺＸ平面とする。なお、本形態では、光記録媒体２は、ＸＹ平面に略平行に配置される。すなわち、ＸＹ平面に平行な方向は、光記録媒体２に略平行な方向となる。
【００２７】
図２に示すように、フレーム８には、ＦＰＣが固定されるＦＰＣ固定部８ｃと、ボリューム２１が固定されるボリューム固定部８ｄとが形成されている。ＦＰＣ固定部８ｃは、第１レーザ光源３の取付部と隣接するようにフレーム８の奥端側に形成されている。また、ボリューム固定部８ｄは、フレーム８の右端側の手前端に形成されている。
【００２８】
電気回路２０は、ＦＰＣ固定部８ｃとボリューム固定部８ｄとの間を繋ぐように形成されている。また、電気回路２０は、フレーム８の表面に沿って形成されている。具体的には、図２に示すように、第１表面部８ｅと、第２表面部８ｆと、第３表面部（図示省略）と、第４表面部８ｇと、第５表面部８ｈと、第６表面部８ｊと、第７表面部８ｋと、第８表面部（図示省略）と、第９表面部８ｍと、第１０表面部８ｎと、第１１表面部（図示省略）と、第１２表面部８ｐと、第１３表面部８ｑと、第１４表面部８ｒと、第１５表面部８ｓと、第１６表面部８ｔと、第１７表面部８ｕと、第１８表面部（図示省略）と、第１９表面部８ｖとに電気回路２０が連続的に形成されている。なお、以下では、第１表面部８ｅから第１９表面部８ｖをまとめて表す場合には、「表面部８ｅ〜８ｖ」と表記する。
【００２９】
第１表面部８ｅは、ＺＸ平面と略平行に形成されている。また、第１表面部８ｅは、フレーム８の奥端側に形成され、ＦＰＣ固定部８ｃの一部を構成している。第２表面部８ｆは、第１表面部８ｅの下端から手前側に向かってＸＹ平面と略平行に形成されている。第３表面部は、第２表面部８ｆの手前端から上側に向かってＺＸ平面と略平行に形成されている。第２表面部８ｆと第３表面部とは、ＦＰＣ固定部８ｃの一部を構成している。
【００３０】
第４表面部８ｇは、第３表面部の上端から手前側に向かってＸＹ平面と略平行に形成されている。第５表面部８ｈは、第４表面部８ｇの手前端から下側に向かってＺＸ平面と略平行に形成されている。第６表面部８ｊは、第５表面部８ｈの左端から左側かつ奥側に向かって曲面状に形成された曲面部とこの曲面部の左端から左側に向かってＺＸ平面と略平行に形成された平面部とから構成されている。第７表面部８ｋは、第６表面部８ｊの平面部の下端から手前側に向かってＸＹ平面と略平行に形成されている。この第７表面部８ｋは、対物レンズ１７を駆動する対物レンズ駆動装置（図示省略）の取付面となっている。第８表面部は、第７表面部８ｋの手前端から上側に向かってＺＸ平面と略平行に形成されている。第９表面部８ｍは、第８表面部の上端から手前側に向かってＸＹ平面と略平行に形成されている。
【００３１】
第１０〜第１６表面部８ｎ〜８ｔは、フレーム８の手前側端面の一部を構成している。第１０表面部８ｎ、第１２表面部８ｐ、第１４表面部８ｒおよび第１６表面部８ｔは、奥側に向かって膨らむ曲面状に形成されている。
【００３２】
第１０表面部８ｎは、第９表面部８ｍの手前端から下側に向かって形成されている。第１１表面部は、第１０表面部８ｎの右端から奥側に向かってわずかに窪む平面状に形成されている。第１２表面部８ｐは、第１１表面部の奥端から右側に向かって形成されている。第１３表面部８ｑは、第１２表面部８ｐの右端から手前側に向かってわずかに突出する平面状に形成されている。第１４表面部８ｒは、第１３表面部８ｑの手前端から右側に向かって形成されている。第１５表面部８ｓは、第１４表面部８ｒの右端から右側に向かってＺＸ平面と略平行に形成されている。第１６表面部８ｔは、第１５表面部８ｓの右端から右側に向かって形成されている。
【００３３】
第１７表面部８ｕは、第１６表面部８ｔの上端から右側に向かってＸＹ平面と略平行に形成されている。第１８表面部は、第１７表面部８ｕの右端側から下側に向かってＹＺ平面と略平行に形成されている。第１９表面部８ｖは、第１８表面部の奥端から右側に向かってＺＸ平面と略平行に形成されている。本形態では、第１９表面部８ｖは、電子部品であるボリューム２１が固定される固定面となっている。
【００３４】
以上のように、本形態では、第１表面部８ｅと第２表面部８ｆとが互いに交わり、第２表面部８ｆと第３表面部とが互いに交わり、第３表面部と第４表面部８ｇとが互いに交わり、第４表面部８ｇと第５表面部８ｈとが互いに交わり、第５表面部８ｈと第６表面部８ｊとが互いに交わり、第６表面部８ｊと第７表面部８ｋとが互いに交わり、第７表面部８ｋと第８表面部とが互いに交わり、第８表面部と第９表面部８ｍとが互いに交わっている。
【００３５】
また、第９表面部８ｍと第１０表面部８ｎとが互いに交わり、第１０表面部８ｎと第１１表面部とが互いに交わり、第１１表面部と第１２表面部８ｐとが互いに交わり、第１２表面部８ｐと第１３表面部８ｑとが互いに交わり、第１３表面部８ｑと第１４表面部８ｒとが互いに交わり、第１４表面部８ｒと第１５表面部８ｓとが互いに交わり、第１５表面部８ｓと第１６表面部８ｔとが互いに交わり、第１６表面部８ｔと第１７表面部８ｕとが互いに交わり、第１７表面部８ｕと第１８表面部とが互いに交わり、第１８表面部と第１９表面部８ｖとが互いに交わっている。
【００３６】
すなわち、本形態では、互いに交わる２個の表面部に跨るように、電気回路２０が一体で形成されている。
【００３７】
また、第１表面部８ｅと第２表面部８ｆとは互いに略直交するように形成され、第２表面部８ｆと第３表面部とは互いに略直交するように形成され、第３表面部と第４表面部８ｇとは互いに略直交するように形成され、第４表面部８ｇと第５表面部８ｈとは互いに略直交するように形成され、第６表面部８ｊと第７表面部８ｋとは互いに略直交するように形成され、第７表面部８ｋと第８表面部とは互いに略直交するように形成され、第８表面部と第９表面部８ｍとは互いに略直交するように形成されている。
【００３８】
また、第９表面部８ｍと第１０表面部８ｎとは互いに略直交するように形成され、第１０表面部８ｎと第１１表面部とは互いに略直交するように形成され、第１１表面部と第１２表面部８ｐとは互いに略直交するように形成され、第１２表面部８ｐと第１３表面部８ｑとは互いに略直交するように形成され、第１３表面部８ｑと第１４表面部８ｒとは互い略直交するように形成され、第１６表面部８ｔと第１７表面部８ｕとは互いに略直交するように形成され、第１７表面部８ｕと第１８表面部とは互い略直交するように形成され、第１８表面部と第１９表面部８ｖとは互いに略直交するように形成されている。
【００３９】
電気回路２０は、たとえば、銅箔で形成されている。図３および図４（Ｂ）に示すように、電気回路２０は、絶縁性樹脂等からなる絶縁層２２を介してフレーム８の表面部８ｅ〜８ｖに形成されている。また、電気回路２０の表面は、絶縁性樹脂等からなる絶縁層２３で覆われている。すなわち、表面部８ｅ〜８ｖには、絶縁層２２と電気回路２０と絶縁層２３とがこの順番で積層されている。
【００４０】
電気回路２０の一端は、第１表面部８ｆに形成されるランド２０ａとなっている。ランド２０ａには、ＦＰＣの端子が半田付けされて固定されている。また、電気回路２０の他端は、第１９表面部８ｖに形成されるランド２０ｂとなっている。ランド２０ｂには、図４に示すように、ボリューム２１の端子２１ａが半田付けされて固定されている。
【００４１】
（電気回路の製造方法）
本形態では、表面部８ｅ〜８ｖに電気回路２０を形成する際には、まず、表面部８ｅ〜８ｖに絶縁層２２を形成する（絶縁層形成工程）。その後、絶縁層２２の表面上に導電性材料からなる導電層を形成する（導電層形成工程）。その後、導電層の所定部分をマスクで多い、マスクで覆われていない導電層の一部をエッチングで除去して電気回路２０を形成する（エッチング工程）。その後、電気回路２０の表面に絶縁層２３を形成すると、電気回路２０が完成する。なお、本形態では、導電層形成工程およびエッチング工程はそれぞれ、絶縁層２２の上に電気回路２０を形成する電気回路形成工程の一部となっている。
【００４２】
（本形態の主な効果）
以上説明したように、本形態では、導電性材料で形成されるフレーム８の表面部８ｅ〜８ｖに絶縁層２２を介して、電気回路２０が形成されている。そのため、フレーム８自体にノイズ抑制効果を持たせることができ、ノイズの発生を抑制することができる。また、表面部８ｅ〜８ｖに絶縁層２２を介して、電気回路２０が形成されているため、フレーム８が熱伝動性の高い部材で形成されている場合には、電気回路２０で発生する熱を効率良く放散することができる。
【００４３】
本形態では、互いに交わる平行でない２個の表面部に（たとえば、第９表面部８ｍと第１０表面部８ｎとに）跨るように、電気回路２０が一体で形成されている。そのため、ＦＰＣを用いずに、２個の表面部に沿って電気回路２０を配置することができ、表面部の境界部分でＦＰＣの折り曲げ半径が大きくなるといった従来の問題は生じない。特に、たとえば、第４表面部８ｇと第５表面部８ｈとのように、２個の表面部が互いに略直交するように形成されている場合、略直交するように形成された２個の表面部に沿って厚いＦＰＣを配置すると、表面部の境界部分で、ＦＰＣの折り曲げ半径が大きくなりやすくなるが、本形態ではかかる問題が生じない。したがって、本形態では、光ヘッド装置１を小型化することが可能になる。
【００４４】
また、本形態では、ＺＸ平面に略平行に形成された第１９表面部８ｖがボリューム２１の固定面となっている。そのため、ボリューム２１の固定面となる第１９表面部８ｖに沿ってＦＰＣを配置する必要がなくなる。したがって、本形態では、第１９表面部８ｖの端部でＦＰＣの折り曲げ半径が大きくなるといった従来の問題は生じない。特に、本形態のように、第１９表面部８ｖがＺＸ平面と略平行に形成されている場合に、第１９表面部８ｖに沿って厚いＦＰＣを配置すると、第１９表面部８ｖの上端部で、ＦＰＣの折り曲げ半径が大きくなりやすくなるが、本形態ではかかる問題が生じない。したがって、本形態では、光ヘッド装置１を小型化することが可能になる。
【００４５】
（他の実施の形態）
上述した形態は、本発明の好適な形態の一例ではあるが、これに限定されるものではなく本発明の要旨を変更しない範囲において種々変形実施が可能である。
【００４６】
上述した形態では、電気回路２０の他端にボリューム２１が接続されている。この他にもたとえば、図５に示すように、電気回路２０の他端に、電子部品であるモニタ用受光素子７が接続されても良い。この場合には、第１表面部８ｅと、第２表面部８ｆと、第３表面部と、第４表面部８ｇと、第５表面部８ｈと、第２０表面部８ｗ１と、第２１表面部８ｗ２と、第２２表面部８ｗ３と、第２３表面部８ｗ４と、第２４表面部（図示省略）と、第２５表面部８ｗ５と、第２６表面部（図示省略）と、第２７表面部８ｗ６、８ｗ７と、第２８表面部８ｗ８、８ｗ９とに電気回路２０が絶縁層２２を介して連続的に形成されている。
【００４７】
また、この場合には、第２０表面部８ｗ１は、第５表面部８ｈの右端から右側かつ手前側に向かって曲面状に形成されている。第２１表面部８ｗ２は、第２０表面部８ｗ１の手前側端から右側に向かってＺＸ平面と略平行に形成されている。第２２表面部８ｗ３は、第２１表面部８ｗ２の右端から手前側に向かってＹＺ平面と略平行に形成されている。第２３表面部８ｗ４は、第２２表面部８ｗ３の上端から右側に向かってＸＹ平面と略平行に形成されている。第２４表面部は、第２３表面部８ｗ４の右端から下側に向かってＹＺ平面と略平行に形成されている。
【００４８】
第２５表面部８ｗ５は、第２４表面部から右側に向かってＸＹ平面と略平行に形成されている。この第２５表面部８ｗ５には、ハーフミラー１３の固定壁が形成されている。また、第２５表面部８ｗ５では電気回路２０が二股状に分岐している。第２６表面部は、第２５表面部８ｗ５の右端側から上方向に向かって形成されている。第２７表面部８ｗ６、８ｗ７は、第２６表面部の上端から右手前側に向かってＸＹ平面と略平行に形成されている。第２８表面部８ｗ８、８ｗ９は、第２７表面部８ｗ６、８ｗ７の右端から下側に向かって形成されている。この第２８表面部８ｗ８、８ｗ９は、モニタ用受光素子７が固定される固定面となっている。また、第２８表面部８ｗ８、８ｗ９は、ＸＹ平面に略直交するように形成されている。
【００４９】
このように、図５においては、第５表面部８ｈと第２０表面部８ｗ１とが互いに交わり、第２０表面部８ｗ１と第２１表面部８ｗ２とが互いに交わり、第２１表面部８ｗ２と第２２表面部８ｗ３とが互いに交わり、第２２表面部８ｗ３と第２３表面部８ｗ４とが互いに交わり、第２３表面部８ｗ４と第２４表面部とが互いに交わり、第２４表面部と第２５表面部８ｗ５とが互いに交わり、第２５表面部８ｗ５と第２６表面部とが互いに交わり、第２６表面部と第２７表面部８ｗ６、８ｗ７とが互いに交わり、第２７表面部８ｗ６、８ｗ７と第２８表面部８ｗ８、８ｗ９とが互いに交わっている。
【００５０】
また、図５において、第２１表面部８ｗ２と第２２表面部８ｗ３とは互いに略直交するように形成され、第２２表面部８ｗ３と第２３表面部８ｗ４とは互いに略直交するように形成され、第２３表面部８ｗ４と第２４表面部とは互いに略直交するように形成され、第２４表面部と第２５表面部８ｗ５とは互いに略直交するように形成され、第２５表面部８ｗ５と第２６表面部とは互いに略直交するように形成され、第２６表面部と第２７表面部８ｗ６、８ｗ７とは互いに略直交するように形成され、第２７表面部８ｗ６、８ｗ７と第２８表面部８ｗ８、８ｗ９とは互いに略直交するように形成されている。
【００５１】
また、この場合には、電気回路２０の他端は、第２８表面部８ｗ８、８ｗ９に形成されるランドとなっている。このランドには、モニタ用受光素子７の端子が半田付けされて固定されている。
【００５２】
また、上述した形態では、電気回路２０の他端にボリューム２１が接続されているが、ボリューム２１およびモニタ用受光素子７以外の、フレーム８に固定される電子部品が電気回路２０の他端に接続されても良い。また、上述した形態では、電気回路２０の一端は、ＦＰＣに接続されているが、電気回路２０の一端がフレーム８に固定される電子部品に接続されても良い。これらの場合には、電子部品等の配置位置に応じて、電気回路２０をフレーム８に沿って形成すれば良い。また、上述した形態では、数多くの表面部８ｅ〜８ｖに跨って電気回路２０が連続的に形成されているが、互いに交わる少なくとも２個の表面部に跨って電気回路２０が形成されていれば、上述した形態の効果を得ることが可能になる。
【００５３】
上述した形態では、表面部８ｅ〜８ｖに１層の電気回路２０が形成されている。この他にもたとえば、２層以上の電気回路層からなる電気回路２０が表面部８ｅ〜８ｖに形成されても良い。たとえば、図６に示すように、２層の電気回路層２０Ａ、２０Ｂからなる電気回路２０が表面部８ｅ〜８ｖに形成されても良い。この場合には、電気回路２０の多機能化を図ることができる。また、電気回路２０の配置面積を低減することができる。なお、この場合には、たとえば、電気回路層２０Ａと電気回路層２０Ｂとの間に絶縁層２４が形成される。また、この場合には、図６に示すように、電気回路層２０Ａと電気回路層２０Ｂとを電気的に接続するためのスルーホール２５が形成されても良い。
【００５４】
また、図７に示すように、フレーム８と電気回路２０とを半田付け等によって電気的に接続することで、電気回路２０を確実に接地しても良い。
【００５５】
上述した形態では、フレーム８は、底面部と底面部から起立する複数の壁部を有する立体状に形成されている。この他にもたとえば、フレーム８は、薄板状に形成されても良い。この場合には、たとえば、フレーム８の表面から裏面に向かって電気回路２０が一体で形成される。すなわち、フレーム８の表面、端面および裏面にわたって、電気回路２０が連続で形成される。また、この場合には、フレーム８の表面、端面および裏面のそれぞれは表面部となる。
【００５６】
上述した形態では、光ヘッド装置１を例に本発明の実施の形態にかかる電気回路付きフレームを説明しているが、本発明の電気回路付きフレームは、光ヘッド装置１以外の各種の装置のフレームとして使用することが可能である。
【図面の簡単な説明】
【００５７】
【図１】本発明の実施の形態にかかる光ヘッド装置の、光学系を中心とした概略構成図である。
【図２】本発明の実施の形態にかかる光ヘッド装置の一部の部品を取り除いた状態を示す斜視図である。
【図３】図２に示すフレームの、電気回路の形成部分の断面図である。
【図４】図２のＥ部の詳細図であり、（Ａ）は側面図、（Ｂ）は（Ａ）のＦ−Ｆ断面の断面図である。
【図５】本発明の他の実施の形態にかかるフレームの構成を説明するための斜視図である。
【図６】本発明の他の実施の形態にかかるフレームの、電気回路の形成部分の断面図である。
【図７】本発明の他の実施の形態にかかるフレームの、電気回路の形成部分の断面図である。
【符号の説明】
【００５８】
１  光ヘッド装置
２  光記録媒体
７  モニタ用受光素子（電子部品）
８  フレーム
８ｅ〜８ｕ、８ｗ１〜８ｗ７  表面部
８ｖ、８ｗ８、８ｗ９  表面部（固定面）
２０  電気回路
２０Ａ、２０Ｂ  電気回路層
２１  ボリューム（電子部品）
２１ａ  端子
２２、２４  絶縁層
【図１】
2010044809.tif 000003
【図２】
2010044809.tif 000004
【図３】
2010044809.tif 000005
【図４】
2010044809.tif 000006
【図５】
2010044809.tif 000007
【図６】
2010044809.tif 000008
【図７】
2010044809.tif 000009